(57)【特許請求の範囲】
【請求項１】
長尺で筒状に形成され且つ先端部にネジ部が形成されている第１のエレメントに、第２のエレメントを摺動自在に組み込んだ多段収納式アンテナにおいて、前記組み込んだ第２のエレメントが抜け出ないように前記第１のエレメントの前記ネジ部に螺合して固定するストッパーヘッド固定方法であって、
前記ストッパーヘッドの螺合部は、ネジ部と不完全ネジ部とから構成し、
該不完全ネジ部に前記第１のエレメントのネジ部を強制的に螺合させて固定することを特徴とする多段収納式アンテナにおけるストッパーヘッド固定方法。
【請求項２】
前記不完全ネジ部は、前記第１のエレメントのネジ部と凹凸の関係になる構造とし、該凹凸を強制的に係合することを特徴とする請求項１に記載の多段収納式アンテナにおけるストッパーヘッド固定方法。
【請求項３】
前記凹凸のうち凸の部分は、係合する際に回転する方向側をテーパーにしたことを特徴とする請求項１に記載の多段収納式アンテナにおけるストッパーヘッド固定方法。
【請求項４】
長尺で筒状に形成され且つ先端部にネジ部が形成されている第１のエレメントに、第２のエレメントを摺動自在に組み込んだ多段収納式アンテナにおいて、前記組み込んだ第２のエレメントが抜け出ないように前記第１のエレメントの前記ネジ部に螺合して固定するストッパーヘッド固定方法であって、
前記ストッパーヘッドのネジ部のピッチを、前記第１のエレメントのネジ部に螺合できる範囲を限度として変え、該ピッチの異なるネジ部同士を強制的に螺合させて両ネジ部の螺合部分を圧接状態にして固定することを特徴とする多段収納式アンテナにおけるストッパーヘッド固定方法。
【請求項５】
長尺で筒状に形成され且つ先端に雌雄の関係で係合するストッパーヘッドが固定されると共に筐体に出没自在に配置されている第１のエレメントと、
該第１のエレメントに摺動自在に組み込まれると共に前記ストッパヘッドにより前記第１のエレメントから抜け出ないように構成された第２のエレメントと、からなり、
前記ストッパーヘッドは、前記第１のエレメントに係合する部位の先端側をネジ部とし、該ネジ部に連続した後端側は所要幅の不完全ネジ部を備え、
且つ前記第１のエレメントに係合する際に、前記不完全ネジ部の部分を強制的に係合させて組み立てることを特徴とする多段収納式アンテナ。
【請求項６】
前記不完全ネジ部は、前記第１のエレメントのネジ部と凹凸の関係になる構造とし、該凹凸を強制的に係合することを特徴とする請求項５に記載の多段収納式アンテナ。
【請求項７】
前記凹凸のうち凸の部分は、係合する際に回転する方向側をテーパーにしたことを特徴とする請求項５に記載の多段収納式アンテナ。
【請求項８】
長尺で筒状に形成され且つ先端に雌雄の関係で係合するストッパーヘッドが固定されると共に筐体に出没自在に配置されている第１のエレメントと、
該第１のエレメントに摺動自在に組み込まれると共に前記ストッパヘッドにより前記第１のエレメントから抜け出ないように構成された第２のエレメントと、からなり、
前記ストッパーヘッドは、前記第１のエレメントに係合するネジ部のピッチを、前記第１のエレメントのネジ部に螺合できる範囲を限度として変えたことを特徴とする多段収納式アンテナ。
【発明の詳細な説明】
【０００１】
【発明の属する技術分野】
本発明は、携帯電話や携帯無線機器等に用いられる、多段収納式アンテナにおけるストッパーヘッド固定方法、及び多段収納式アンテナに関するものである。
【０００２】
【従来の技術】
従来、携帯電話の二段収納式アンテナは例えば図７及び図８に示すように、長尺で筒状に形成され且つホルダー１を挿通して筐体２の内部に収納され出没自在に配置されているストッパー部３と、このストッパー部３の内部に摺動自在な状態で挿入され且つ長尺な第２のエレメント４と、この第２のエレメント４の端部に設けられるジョイントモールド２８と、このジョイントモールド２８の先端に設けられるキャップ部２９とから構成されており、前記ストッパー部３と第２のエレメント４とで二段階に伸長し及び収納される構造になっている。
【０００３】
ストッパー部３は、図９から図１１に示すように、長尺な金属筒体で形成され且つ後端に段部５を有する第１のエレメント６と、この第１のエレメント６の先端７にねじ込んで取り付ける合成樹脂製のストッパーヘッド８とからなり、第１のエレメント６の先端７側の内周面には、雌ネジを切って雌ネジ部９が形成されている。
【０００４】
一方、ストッパーヘッド８は、中心部に貫通孔３２を有すると共に先端側に肉厚部１０が形成され、且つ段部１１を介して筒部１２が一体に設けられている。筒部１２の外周面には雄ネジを切って雄ネジ部１３が形成されており、この雄ネジ部１３と前記雌ネジ部９とが螺合できる構造になっている。
【０００５】
第２のエレメント４は、可撓性のある金属線材からなるワイヤー１４が中心に設けられており、このワイヤー１４の外周面を樹脂パイプ１５で被覆している。ワイヤー１４の基部１６は樹脂パイプー１５の端部１７から延出しており、この基部１６に抜け止め用の内部ストッパー部材１８が装着されている。
【０００６】
内部ストッパー部材１８は、一端１９側で樹脂パイプ１５の端部１７を保持し、且つ内部ストッパー部材１８の外周面と前記第１のエレメント６の内周面との間に隙間２１を有している。また、内部ストッパー部材１８の略中央位置には第１のエレメント６の内周面に当接する高さの突部２２が形成されると共に他端には段部２３が形成されており、突部２２と段部２３との間に接触バネ材２４が配設されている。
【０００７】
接触バネ材２４は両端部２５が内部ストッパー部材１８に接していると共に中央部位２６が外側に膨出しており、この中央部位２６が第１のエレメント６の内周面と接触する状態で摺動して電気的な接続が図られている。
【０００８】
このような構成の内部ストッパー部材１８は、ワイヤー１４を伸長した時に内部ストッパー部材１８の一端１９が前記ストッパーヘッド８の後端部２７に当接して第２のエレメント４の抜け止めを図っている。
【０００９】
更に、第２のエレメント４の端部にはジョイントモールド２８が設けられており、このジョイントモールド２８の先端には内部にエレメントが配設されたキャップ部２９が設けられている。
【００１０】
このような構造からなる二段収納式アンテナのストッパー部３と第２のエレメント４との組立は、まず、第１のエレメント６の雌ネジ部９にストッパーヘッド８の雄ネジ部１３を螺入して、ねじ込み隙間無く螺合した状態から更に強くねじ込んで強固に螺着する。
【００１１】
次にストッパーヘッド８の貫通孔から第２のエレメント４を挿入して第１のエレメント６の後端から一旦外部に出し、ワイヤー１４の基部１６に内部ストッパー部材１８を取り付けてカシメ等の所定の手段で装着する。
【００１２】
【発明が解決しようとする課題】
しかしながら、この従来例の第１のエレメント６とストッパーヘッド８との螺着状態においては、所定の振動試験等の結果、緩みが発生することが明らかになった。そこで、ネジ部に接着剤を塗布してねじ込み作業を行ったが、この場合は作業性が悪く、接着剤のはみ出し等の外観不良が生ずるという問題点がある。
【００１３】
従って、従来例における場合においては、第１のエレメント６とストッパーヘッド８との螺着状態に緩みが生じないようにすると共に、作業性を低下させないことに解決しなければならない課題を有している。
【００１４】
【課題を解決するための手段】
前記従来例の課題を解決する具体的手段として本発明は、長尺で筒状に形成され且つ先端部にネジ部が形成されている第１のエレメントに、第２のエレメントを摺動自在に組み込んだ多段収納式アンテナにおいて、前記組み込んだ第２のエレメントが抜け出ないように前記第１のエレメントの前記ネジ部に螺合して固定するストッパーヘッド固定方法であって、前記ストッパーヘッドの螺合部は、ネジ部と不完全ネジ部とから構成し、該不完全ネジ部に前記第１のエレメントのネジ部を強制的に螺合させて固定することを特徴とする多段収納式アンテナにおけるストッパーヘッド固定方法を提供するものである。
【００１５】
また、前記前記不完全ネジ部は、前記第１のエレメントのネジ部と凹凸の関係になる構造とし、該凹凸を強制的に係合することとしたものであり、更に、前記前記凹凸のうち凸の部分は、係合する際に回転する方向側をテーパーにしたものである。
【００１６】
更に本発明は、長尺で筒状に形成され且つ先端部にネジ部が形成されている第１のエレメントに、第２のエレメントを摺動自在に組み込んだ多段収納式アンテナにおいて、前記組み込んだ第２のエレメントが抜け出ないように前記第１のエレメントの前記ネジ部に螺合して固定するストッパーヘッド固定方法であって、前記ストッパーヘッドのネジ部のピッチを、前記第１のエレメントのネジ部に螺合できる範囲を限度として変え、該ピッチの異なるネジ部同士を強制的に螺合させて両ネジ部の螺合部分を圧接状態にして固定することを特徴とする多段収納式アンテナにおけるストッパーヘッド固定方法を提供するものである。
【００１７】
また本発明は、長尺で筒状に形成され且つ先端に雌雄の関係で係合するストッパーヘッドが固定されると共に筐体に出没自在に配置されている第１のエレメントと、該第１のエレメントに摺動自在に組み込まれると共に前記ストッパヘッドにより前記第１のエレメントから抜け出ないように構成された第２のエレメントと、からなり、前記ストッパーヘッドは、前記第１のエレメントに係合する部位の先端側をネジ部とし、該ネジ部に連続した後端側は所要幅の不完全ネジ部を備え、且つ前記第１のエレメントに係合する際に、前記不完全ネジ部の部分を強制的に係合させて組み立てることを特徴とする多段収納式アンテナを提供するものである。
【００１８】
また、前記不完全ネジ部は、前記第１のエレメントのネジ部と凹凸の関係になる構造とし、該凹凸を強制的に係合する構成としたものであり、更に、前記凹凸のうち凸の部分は、係合する際に回転する方向側をテーパーにした構成としたものである。
【００１９】
更に本発明は、長尺で筒状に形成され且つ先端に雌雄の関係で係合するストッパーヘッドが固定されると共に筐体に出没自在に配置されている第１のエレメントと、該第１のエレメントに摺動自在に組み込まれると共に前記ストッパヘッドにより前記第１のエレメントから抜け出ないように構成された第２のエレメントと、からなり、前記ストッパーヘッドは、前記第１のエレメントに係合するネジ部のピッチを、前記第１のエレメントのネジ部に螺合できる範囲を限度として変えたことを特徴とする多段収納式アンテナ。
【００２０】
本発明の請求項１に係る多段収納式アンテナにおけるストッパーヘッド固定方法においては、ストッパーヘッドの螺合部をネジ部と不完全ネジ部とから構成し、この不完全ネジ部に第１のエレメントのネジ部を強制的に螺合させることにより、不完全ネジ部に第１のエレメントのネジ部がくい込んだ状態で強固に固定する。従って、従来例のように第１のエレメントとストッパーヘッドとの螺合状態に緩みが生じることがなく、また接着剤を使用しないので作業性が低下しない。
【００２１】
更に、本発明の請求項４に係る多段収納式アンテナにおけるストッパーヘッド固定方法においては、ストッパーヘッドのネジ部のピッチを、第１のエレメントのネジ部に螺合できる範囲を限度として変え、該ピッチの異なるネジ部同士を強制的に螺合させて両ネジ部の螺合部分を圧接状態にすることにより、両ネジ部の螺合が強固になり第１のエレメントとストッパーヘッドとの螺合状態に緩みが生じない。
【００２２】
【発明の実施の形態】
次に、本発明の実施の形態について図面を参照しながら詳細に説明する。尚、理解容易のため、従来例に対応する部分には従来例と同一の符号を付けて説明する。
【００２３】
まず、図１は本発明の第１実施例に係る固定方法に用いる第１のエレメント６と、ストッパーヘッド３１とを示し、第１のエレメント６は、長尺な金属筒体で形成され且つ後端に段部５を有し、その先端７側の内周面には雌ネジを切って雌ネジ部９が形成されている。尚、第１のエレメント６は、従来例で説明した構成のものと同様のものである。
【００２４】
ストッパーヘッド３１は、全体が合成樹脂材で一体に形成されており、中心部に貫通孔３２を有すると共に先端側に肉厚部１０が形成され、この肉厚部１０の外周面はテーパー状部３３が形成されている。更に、段部１１を介して筒部１２が設けられおり、筒部１２の外周面には雄ネジを切って雄ネジ部１３が形成され、この雄ネジ部１３と前記雌ネジ部９とが螺合できる構造になっている。そして、筒部１２における段部１１と隣接した位置には、雄ネジを切らない不完全ネジ部３４が設けられている。つまり、不完全ネジ部３４は筒部１２の外周面が表れている状態である。
【００２５】
次に、このような構成の第１のエレメント６にストッパーヘッド３１を取り付けて固定する方法について説明する。まず、第１のエレメント６の雌ネジ部９にストッパーヘッド３１の雄ネジ部１３をねじ込んで両方のネジ部を螺合すると共に、更に不完全ネジ部３４に対して雌ネジ部９を強制的にねじ込む。そして第１のエレメント６の先端７が段部１１に当接するまでねじ込んで、ねじ込み隙間が無い状態にしっかりと螺合する。この時、不完全ネジ部３４は合成樹脂で形成されているので、金属からなる雌ネジ部９がくい込んだ状態で強固に螺合することとなる。
このように、ストッパーヘッド３１が固定される第１のエレメント６に、従来と同様な構成の第２のエレメント４を既述の方法で装着することにより多段収納式アンテナが形成される。
【００２６】
次に、図２（イ）（ロ）及び図３（ハ）（ニ）に第２実施例に係る固定方法に用いる第１のエレメント３５と、ストッパーヘッド３６とを示す。この第２実施例において、前記第１実施例の第１のエレメント６及びストッパーヘッド３１と同一部分には同一符号を付してその詳細は省略する。
【００２７】
ストッパーヘッド３６は、不完全ネジ部３４の段部１１に隣接した位置に凸部３７が設けられており、この凸部３７は、所定の間隔を開けて複数箇所に、例えば４箇所に設けられている。
また、第１のエレメント３５の雌ネジ部９の端部には前記凸部３７と嵌合できる凹部３８が、凸部３７と対応する位置に設けられている。
【００２８】
このような構成の第１のエレメント３５にストッパーヘッド３６を取り付けて固定する場合には、第１のエレメント３５の雌ネジ部９にストッパーヘッド３６の雄ネジ部１３をねじ込んで両方のネジ部を螺合すると共に、更に不完全ネジ部３４に対して雌ネジ部９を強制的にねじ込む。そして第１のエレメント３５の先端７が段部１１に当接するまでねじ込むと共に、凸部３７と凹部３８とがピッタリと嵌合するように螺合する。この時、不完全ネジ部３４に雌ネジ部９がくい込んだ状態で強固に螺合すると共に、凸部３７と凹部３８とが嵌合しているので第１のエレメント３５とストッパーヘッド３６との螺合状態が一層強固なものになる。
【００２９】
尚、この第２実施例の凸部３７の変形例としては、図４に示すように、雄ネジ部１３の回転方向にテーパー部３９を形成した凸部４２としてもよい。凸部４２をこのような形状にすることによって、雄ネジ部１３を雌ネジ部９にねじ込んだ時にテーパー部３９の存在により凸部４２を凹部３８に滑らかに嵌合できることとなる。
【００３０】
次に、第３実施例に係る固定方法に用いる第１のエレメントと、ストッパーヘッドとを説明する。この第３実施例において、従来例に対応する部分には従来例と同一の符号を付してその詳細は省略する。
【００３１】
この第１のエレメント及びストッパーヘッドは、従来例において説明した第１のエレメント６及びストッパーヘッド８と略同形状であるが、図５に示すように、雌ネジ部４０と雄ネジ部４１とのピッチをそれぞれ異ならせて形成してある。例えば、一方のネジ部のピッチを一例として０．４５ｍｍに形成し、他方のネジ部のピッチを一例として０．４７ｍｍに形成する。
【００３２】
このように雌ネジ部４０と雄ネジ部４１とのピッチを異ならせた構成の第１のエレメントとストッパーヘッドとを固定する場合は、雌ネジ部４０に雄ネジ部４１を強制的にねじ込んで、図６に示すように、両ネジ部の螺合部分を圧接状態にする。このように圧接状態にすることによって両ネジ部の螺合が極めて強固なものとなり第１のエレメントとストッパーヘッドとの螺合状態に緩みが生じないこととなる。
【００３３】
【発明の効果】
以上説明したように本発明に係る多段収納式アンテナにおけるストッパーヘッド固定方法は、ストッパーヘッドの螺合部をネジ部と不完全ネジ部とから構成し、この不完全ネジ部に第１のエレメントのネジ部を強制的に螺合させることによって、不完全ネジ部に第１のエレメントのネジ部がくい込んだ状態で強固に固定する。従って、従来例のように第１のエレメントとストッパーヘッドとの螺合状態に緩みが生じることがなく、また接着剤を使用しないので作業性が低下しないという種々の優れた効果を奏する。
【００３４】
また、不完全ネジ部は、前記第１のエレメントのネジ部と凹凸の関係になる構造とし、該凹凸を強制的に係合することによって、前記の不完全ネジ部に第１のエレメントのネジ部がくい込んで強固に固定することと相俟って、第１のエレメントとストッパーヘッドとの螺合状態が一層強固になるという優れた効果を奏する。
【００３５】
更に、凹凸のうち凸の部分は、係合する際に回転する方向側をテーパーにしたことによって、テーパーの存在により凸と凹とが滑らかに且つ強固に嵌合されるという優れた効果を奏する。
【００３６】
更に本発明に係る多段収納式アンテナにおけるストッパーヘッド固定方法は、ストッパーヘッドのネジ部のピッチを、第１のエレメントのネジ部に螺合できる範囲を限度として変え、該ピッチの異なるネジ部同士を強制的に螺合させて両ネジ部の螺合部分を圧接状態にすることによって、両ネジ部の螺合が強固になり第１のエレメントとストッパーヘッドとの螺合状態に緩みが生じないという優れた効果を奏する。
【図面の簡単な説明】
【図１】本発明の第１実施例に係る固定方法に用いる第１のエレメントとストッパーヘッドの一部を破断して示した正面図である。
【図２】（イ）本発明の第２実施例に係る固定方法に用いるストッパーヘッドの一部を破断して示した正面図である。
（ロ）同ストッパーヘッドの右側面図である。
【図３】（ハ）本発明の第２実施例に係る固定方法に用いる第１のエレメントの一部を破断して示した正面図である。
（ニ）同第１のエレメントの左側面図である。
【図４】ストッパーヘッドの凸部の変形例を示す側面図である。
【図５】本発明の第３実施例に係る雌ネジ部と雄ネジ部とを拡大して示した略示的説明図である。
【図６】本発明の第３実施例に係る雌ネジ部と雄ネジ部との圧接状態を拡大して示した略示的説明図である。
【図７】従来例に係る携帯電話のアンテナ収納状態を示す正面図である。
【図８】従来例に係る携帯電話のアンテナ伸長状態を示す正面図である。
【図９】従来例に係る携帯電話のストッパー部に挿入された第２のエレメントを示す断面図である。
【図１０】図９の要部拡大断面図である。
【図１１】従来例に係る携帯電話の第１のエレメントとストッパーヘッドの一部を破断して示した正面図である。
【符号の説明】
１  ホルダー、  ２  筐体、  ３  ストッパー部、  ４  第２のエレメント、
５  段部、  ６  第１のエレメント、  ７  先端、  ８  ストッパーヘッド、
９  雌ネジ部、  １０  肉厚部、  １１  段部、  １２  筒部、
１３  雄ネジ部、  １４  ワイヤー、  １５  樹脂パイプ、  １６  基部、
１７  端部、  １８  内部ストッパー部材、  １９  一端、  ２１  隙間、
２２  突部、  ２３  段部、  ２４  接触バネ材、  ２５  端部、
２６  中央部位、  ２７  後端部、  ２８  ジョイントモールド、
２９  キャップ部、  ３１  ストッパーヘッド、  ３２  貫通孔、
３３  テーパー状部、  ３４  不完全ネジ部、  ３５  第１のエレメント、
３６  ストッパーヘッド、  ３７  凸部、  ３８  凹部、  ３９  テーパー部、
４０  雌ネジ部、  ４１  雄ネジ部、  ４２  凸部。
【図１】
0003595781.tif 000002
【図２】
0003595781.tif 000003
【図３】
0003595781.tif 000004
【図４】
0003595781.tif 000005
【図５】
0003595781.tif 000006
【図６】
0003595781.tif 000007
【図７】
0003595781.tif 000008
【図８】
0003595781.tif 000009
【図９】
0003595781.tif 000010
【図１０】
0003595781.tif 000011
【図１１】
0003595781.tif 000012